(57)【要約】【課題】本発明は、製造工程における抵抗値の安定化を図ることで歩留まりを向上させることを目的とする。【解決手段】本発明のチップ抵抗器の製造方法は、シート基板１上に１次分割部１ａを跨いで抵抗層２を形成する工程と、抵抗層２上であって複数の１次分割部１ａにおいて隣接する１次分割部１ａ間に第１のレジスト層３と、抵抗層２上であって複数の１次分割部１ａを跨いで第２のレジスト層４とを形成する工程と、第１のレジスト層３と第２のレジスト層４とをめっきレジストとして抵抗層２に電解めっきによる電極層５を形成する工程と、電極層５が形成されたシート基板１を熱処理する工程と、熱処理の工程の後に抵抗値修正を行う工程と、抵抗値修正を行った後にシート基板１を複数の１次分割部１ａと複数の２次分割部１ｂとで分割する工程を備えている。【選択図】図２
2013098358.tif 000002
【特許請求の範囲】
【請求項１】
シート基板を分割して複数のチップ抵抗器を得るチップ抵抗器の製造方法であって、前記シート基板は直線で平行な複数の１次分割部と、前記複数の１次分割部に対して直角に交わる直線である複数の２次分割部とで分割されるものであり、
前記シート基板上に前記複数の１次分割部を跨いで抵抗体ペーストを印刷して抵抗層を形成する工程と、
前記抵抗層上であって前記複数の１次分割部において隣接する１次分割部間に第１のレジスト層と、前記抵抗層上であって前記複数の１次分割部を跨いで第２のレジスト層とを形成する工程と、
前記抵抗層における前記第１のレジスト層と前記第２のレジスト層に被覆されていない部分に電解めっきによる電極層を形成する工程と、
前記電極層が形成されたシート基板を熱処理する工程と、
前記熱処理の工程の後に抵抗値修正を行う工程と、
前記抵抗値修正を行った後に前記シート基板を前記複数の１次分割部と前記複数の２次分割部とで分割する工程を備えたチップ抵抗器の製造方法。
【請求項２】
前記第１のレジスト層および前記第２のレジスト層は、ともにガラスからなるもので、前記熱処理の温度は前記ガラスの融点以上である請求項１記載のチップ抵抗器の製造方法。
【発明の詳細な説明】
【技術分野】
【０００１】
本発明は、チップ抵抗器、特に抵抗値が１００ｍΩ以下の低抵抗で、所謂０６０３（縦０．６ｍｍ、横０．３ｍｍ、高さ０．２３ｍｍ程度の外形寸法）サイズや、０４０２（縦０．４ｍｍ、横０．２ｍｍ、高さ０．１３ｍｍ程度の外形寸法）サイズ、またはそれ以下の微小サイズのチップ抵抗器の製造方法に関する。
【背景技術】
【０００２】
チップ抵抗器は、多くの種類の電子機器に用いられている。チップ抵抗器の用途の一つに、電流測定が挙げられる。この電流測定の方法は、測定したい電流線に対して電気的に直列にチップ抵抗器を接続させて、このチップ抵抗器の電圧降下を測定することで行うことができる。このようなチップ抵抗器は通常のチップ抵抗器に比べ、抵抗値が低いことが求められている。
【０００３】
抵抗値を低くするためには、抵抗層の抵抗値を下げるだけではなく、電極の抵抗値を下げる必要がある。電極の抵抗値を下げるためには、電極の材料として、比抵抗の低い金属を用いればよい。そのような一例として、電極をＡｇによる電解めっきで形成する方法がある。このような電極は、導体と樹脂の混合ペーストを焼成して得られる電極などに比べ、抵抗値を低くすることができる。
【０００４】
このようなチップ抵抗器の具体的な製造方法を簡単に説明する。シート状の基板の上面にＡｇＰｄからなる抵抗層を形成した後に、ＡｇＰｄ上にレジストを形成する。その後に電解めっきを行うことで、レジストに覆われていない抵抗層上に電極層を形成する。この電極層の成分はＡｇである。この後に、レジストを剥離し、抵抗層にトリミングを施して抵抗値修正を行い、その後に露出している抵抗体を覆うように保護膜を形成する。その後の工程は、シート状基板を分割して端面電極を形成し、さらに、バレルめっきによりニッケルめっき層とスズめっき層を形成するというものである（特許文献１参照。）。
【０００５】
また、めっき層を形成することによって生じる歪みを除去することを目的としてめっき層の形成後に熱処理を行う技術も、知られている（特許文献２参照。）。
【先行技術文献】
【特許文献】
【０００６】
【特許文献１】特開２００７−１９４３９９号公報
【特許文献２】特開平２−１７６０３号公報
【発明の概要】
【発明が解決しようとする課題】
【０００７】
電流の測定に用いる抵抗器は、その抵抗値が小さければ小さいほど、その抵抗器が消費する電力を小さくすることができる。一方、抵抗値が小さいほど電圧降下も小さくなり、電圧を測定する精度の向上が求められる。従って、抵抗器による電力の消費と測定できる電圧精度との釣合いを考えて抵抗値を設定することが好ましい。特に、大電流を測定する場合には、測定用の抵抗器による電力消費を抑えて、この抵抗器による発熱を少なくするために、より低い抵抗値のチップ抵抗器が求められるようになってきた。
【０００８】
このように、より低抵抗にすることにより、相対的に電極の抵抗値が抵抗器全体に占める割合が増加してくる。従って、従来ならば問題とならなかった電極に起因する抵抗値についての事象が存在することがわかった。
【０００９】
そのような事象として、抵抗値の変動がある。従来技術において、抵抗値修正を行うことで、一度は抵抗値を所望の範囲にすることができる。しかし、最終的なチップ抵抗器になった際の抵抗値が、抵抗値修正を行った抵抗値から、変動し、しかも変動にバラツキがあるという事象である。これは、抵抗値修正を行ったあとに保護膜を形成する際に、保護膜を焼成したり、保護膜の凝固を促進するために２００〜３００℃程度の環境下におく場合に抵抗値が変動してしまうことによるものである。抵抗値の変動が一定であれば、変動分を見越して抵抗値修正を行うことで最終的なチップ抵抗器の抵抗値を所望の範囲にすることが可能となる。しかし、変動にバラツキがあるとそのような方法を採ることもできず、最終的な抵抗値が所望の範囲に収まらず、チップ抵抗器の製造後の検査工程により工程不良品として扱われることになり、歩留まりを低下させてしまう。
【００１０】
本発明は上記従来の課題を解決するもので、製造工程における抵抗値の安定化を図ることで歩留まりを向上させることを目的とする。
【課題を解決するための手段】
【００１１】
上記目的を達成するために、本発明は以下の手段を有している。
【００１２】
請求項１に記載の発明は、シート基板を分割して複数のチップ抵抗器を得るチップ抵抗器の製造方法であって、前記シート基板は直線で平行な複数の１次分割部と、前記複数の１次分割部に対して直角に交わる直線である複数の２次分割部とで分割されるものであり、前記シート基板上に前記複数の１次分割部を跨いで抵抗体ペーストを印刷して抵抗層を形成する工程と、前記抵抗層上であって前記複数の１次分割部において隣接する１次分割部間に第１のレジスト層と、前記抵抗層上であって前記複数の１次分割部を跨いで第２のレジスト層とを形成する工程と、前記抵抗層における前記第１のレジスト層と前記第２のレジスト層に被覆されていない部分に電解めっきによる電極層を形成する工程と、前記電極層が形成されたシート基板を熱処理する工程と、前記熱処理の工程の後に抵抗値修正を行う工程と、前記抵抗値修正を行った後に前記シート基板を前記複数の１次分割部と前記複数の２次分割部とで分割する工程を備えたチップ抵抗器の製造方法である。
【００１３】
請求項１に記載の発明は、製造工程中の抵抗値を安定にすることで歩留まりを向上させるという作用効果を有する。
【００１４】
この作用効果について、以下、説明する。
【００１５】
抵抗層はいわゆる厚膜工法で形成されており、その表面は凹凸が大きい。その上に電解めっきによる電極層を形成した際に、めっき層と抵抗層は単に接触しているだけであり、その密着力は、非常に低抵抗になる分野においては十分とは言えないものである。
【００１６】
しかし、請求項１に記載の発明のように、電解めっきによる電極層の形成後に熱処理を行うことで、抵抗層と電極層間に拡散が生じ、両者の密着性が向上する。これにより、高温環境下におかれても、抵抗層と電極層との密着が強固であるので、抵抗値の変動が小さくなるのである。
【００１７】
請求項２に記載の発明は、前記第１のレジスト層および前記第２のレジスト層は、ともにガラスからなるもので、前記熱処理の温度は前記ガラスの融点以上である請求項１記載のチップ抵抗器の製造方法である。
【００１８】
請求項２に記載の発明も、請求項１に記載の発明と同様に、抵抗層と電極層との密着性を向上させ、抵抗値変動を少なくするものである。但し、その作用は、請求項１に記載の発明とは異なるものである。
【００１９】
請求項２に記載の発明は、ガラスからなるレジスト層を溶融させ、電極層および抵抗層にレジスト層を浸透させることで密着性を向上させるものである。これについて、より詳細に説明すると、めっきによる電極層のはがれは、その端部が起点となる。熱処理を行うことで、第１のレジスト層および第２のレジスト層のガラスの一部が溶融して、この電極層との抵抗層の間に入り込むことで抵抗層と電極層との密着性が向上し、これにより抵抗層と電極層との接触部の抵抗値が安定するからと考えられる。そして、抵抗値が安定してから抵抗値修正を行うことで、最終的なチップ抵抗器としての抵抗値と抵抗値修正を行ったときの抵抗値との差を小さくすることででき、歩留まりを向上させることができる。
【発明の効果】
【００２０】
以上のように本発明のチップ抵抗器の製造方法は、シート基板を分割して複数のチップ抵抗器を得るチップ抵抗器の製造方法であって、前記シート基板は直線で平行な複数の１次分割部と、前記複数の１次分割部に対して直角に交わる直線である複数の２次分割部とで分割されるものであり、前記シート基板上に前記複数の１次分割部を跨いで抵抗体ペーストを印刷して抵抗層を形成する工程と、前記抵抗層上であって前記複数の１次分割部において隣接する１次分割部間に第１のレジスト層と、前記抵抗層上であって前記複数の１次分割部を跨いで第２のレジスト層とを形成する工程と、前記抵抗層における前記第１のレジスト層と前記第２のレジスト層に被覆されていない部分に電解めっきによる電極層を形成する工程と、前記電極層が形成されたシート基板を熱処理する工程と、前記熱処理の工程の後に抵抗値修正を行う工程と、前記抵抗値修正を行った後に前記シート基板を前記複数の１次分割部と前記複数の２次分割部とで分割する工程を備え、抵抗値を安定にすることができるので、歩留まりを向上させることができるという効果を有する。
【図面の簡単な説明】
【００２１】
【図１】本発明の一実施の形態におけるチップ抵抗器の製造工程の正面断面図
【図２】本発明の一実施の形態におけるチップ抵抗器の製造工程の正面断面図
【図３】本発明の一実施の形態におけるチップ抵抗器の製造工程の正面断面図
【図４】本発明の一実施の形態におけるチップ抵抗器の製造工程の平面図
【図５】本発明の一実施の形態におけるチップ抵抗器の製造工程の平面図
【図６】本発明の一実施の形態におけるチップ抵抗器の製造工程の平面図
【図７】本発明の一実施の形態におけるチップ抵抗器の製造工程の平面図
【図８】本発明の一実施の形態におけるチップ抵抗器の製造工程の平面図
【発明を実施するための形態】
【００２２】
（一実施の形態）
以下、一実施の形態を用いて、本発明の説明をする。
【００２３】
図１〜図３は、本発明の一実施の形態におけるチップ抵抗器の製造工程の正面断面図、図４〜図８は、発明の一実施の形態におけるチップ抵抗器の製造工程の平面図である。
【００２４】
なお、図１（ａ）、図１（ｂ）、図１（ｃ）、図２（ａ）、図２（ｂ）、図２（ｃ）、図３（ａ）は、それぞれ、平面図である図５（ａ）、図５（ｂ）、図５（ｃ）、図６（ａ）、図６（ｂ）、図６（ｃ）、図８の正面断面図である。なお、それぞれの図面は、理解しやすいように記載しており、図面の縦横の長さの比や、図中の構成要素のそれぞれの厚みの比も実際のものとは異なる。
【００２５】
本発明のチップ抵抗器の製造方法は、シート基板１を分割して複数のチップ抵抗器３０を得るチップ抵抗器３０の製造方法であって、前記シート基板１は直線で平行な１次分割部１ａと、前記１次分割部１ａに対して直角に交わる直線である複数の２次分割部１ｂとで分割されるものであり、前記シート基板１上に前記１次分割部１ａを跨いで抵抗層２を形成する工程と、前記抵抗層２上であって前記複数の１次分割部１ａにおいて隣接する１次分割部１ａ間に第１のレジスト層３と、前記抵抗層２上であって前記複数の１次分割部１ａを跨いで第２のレジスト層４とを形成する工程と、前記第１のレジスト層３と前記第２のレジスト層４とをめっきレジストとして前記抵抗層２に電解めっきによる電極層５を形成する工程と、前記電極層５が形成されたシート基板１を熱処理する工程と、前記熱処理の工程の後に抵抗値修正を行う工程と、前記抵抗値修正を行った後に前記シート基板１を前記複数の１次分割部１ａと前記複数の２次分割部１ｂとで分割する工程を備えている。
【００２６】
また、上記の製造方法に加え、前記抵抗値修正を行う工程の後に、前記第１のレジスト層３を覆う保護膜７を形成する工程と、前記シート基板１を前記１次分割部１ａで分割して短冊基板２０を得る工程と、前記短冊基板２０上に形成された前記保護膜７上にマスク（図示せず）を配置して、前記短冊基板２０の端面から前記電極層５上まで端面電極９、１０を形成する工程と、を備え、前記端面電極９、１０を形成する工程の後に、前記２次分割部１ｂで分割する工程を行い、前記分割する工程の後に、前記電極層５および前記端面電極９、１０に電解めっきによるめっき層として銅めっき層１１、ニッケルめっき層１２、スズめっき層１３を形成する工程を備えたものとすることもできる。
【００２７】
本発明のチップ抵抗器の製造方法のより詳細な説明について、以下に説明する。
【００２８】
シート基板１は絶縁体であり、好ましい例としては、アルミナ基板である。図４に示すように、シート基板１には互いに平行な直線である複数の１次分割部１ａと、１次分割部１ａに直角に交わる直線である複数の２次分割部１ｂが定義される。複数の２次分割部１ｂは互いに平行である。
【００２９】
この１次分割部１ａと２次分割部１ｂとは、後にシート基板１を分割する際分割の位置を示す仮想の線である。また１次分割部１ａと２次分割部１ｂとは、シート基板１の分割する位置に形成したスリット（図示せず）としてもよい。スリットはシート基板１の上面に形成された非貫通の溝である。また、スリットはシート基板１の裏面にも形成しておいてもよい。このようなスリットを予め形成しておくと、後に行う分割が行い易くなるという利点がある。なお、シート基板１の上面とは、図１（ｂ）のシート基板１において抵抗層２が形成されている面をいい、これと対向する面を裏面と言う。
【００３０】
図４に示すシート基板１の一部を拡大したものが図１（ａ）および図５（ａ）である。図１（ａ）は正面断面図であり、その切断面は２次分割部１ｂと平行で、任意の隣り合う２次分割部１ｂの中央部におけるものである。
【００３１】
本発明の製造方法の一実施の形態は、このようなシート基板１を用い、以下のように製造していく。
【００３２】
最初に、図１（ｂ）および図５（ｂ）に示すように、シート基板１上に抵抗層２を形成する。抵抗層２は、ＰｄＡｇのペーストを印刷し、その後焼成したものである。なお、ＰｄＡｇを２回印刷して層を厚くして形成することで、抵抗層２の抵抗値を下げることもできる。抵抗層２は隣接する２次分割部１ｂの間にそれぞれ形成され、かつ、１次分割部１ａを跨いで形成される。
【００３３】
次に、図１（ｃ）および図５（ｃ）に示すように、抵抗層２上に第１のレジスト層３と第２のレジスト層４を形成する、第１のレジスト層３は１次分割部１ａ間に形成される。一方、第２のレジスト層４は１次分割部１ａを跨ぐように形成される。第１のレジスト層３および第２のレジスト層４は、ガラスペーストを印刷した後に焼成することで得られる。この焼成温度は、第１のレジスト層３および第２のレジスト層４に用いたガラス材料にもよるが、６２０℃で焼成している。また、第１のレジスト層３および第２のレジスト層４は、分離しており、これらは繋がってはいない。また、図５（ｃ）に示すように、第１のレジスト層３および第２のレジスト層４は、抵抗層２の幅より広く形成されており、抵抗層２の幅の方向を覆っている。なお、抵抗層２の幅とは、抵抗層２における１次分割部１ａに対し平行な方向の長さである。第１のレジスト層３および第２のレジスト層４は、次の工程の電解めっきの際のめっきレジストにもなる。
【００３４】
次に、図２（ａ）および図６（ａ）に示すように電解めっきにより電極層５を形成する。電解めっきは、図１（ｃ）および図５（ｃ）に示すシート基板１をめっき液に浸漬させ、抵抗層２に電気を流すことで行うことができる。したがって、抵抗層２における露出している部分に電極層５が形成される。なお、図２（ａ）において、電極層５は第１のレジスト層３および第２のレジスト層４の上面の一部にも形成されている。この理由は、電解めっきにより、最初は抵抗層２上にめっきによる膜が形成されるが、このめっきによる膜も導体であり、抵抗層２に流した電気が流れるので、この膜上に、さらにめっきによる膜が形成される。このように、めっきによる膜上にさらにめっきによる膜が形成されることを繰り返すことで、第１のレジスト層３および第２のレジスト層４の上面の一部にも形成されるものであって、第１のレジスト層３および第２のレジスト層４の一部が導体ということではない。これらは絶縁体である。電極層５の組成はＡｇである。Ａｇは導電性に優れるので、低抵抗のチップ抵抗器の電極に用いることは好ましい。
【００３５】
次に、シート基板１は熱処理を施される。熱処理は、第１のレジスト層３および第２のレジスト層４の焼成温度と同じ温度で行われる。その理由は、第１のレジスト層３および第２のレジスト層４を溶融させるためである。そして、第１のレジスト層３および第２のレジスト層４が液体のように著しく粘性を低下させて流れ出さないような温度である必要もある。これらの理由により、熱処理温度は、第１のレジスト層３および第２のレジスト層４の焼成温度と同じにしている。なお、抵抗層２と電極層５との拡散には５００℃以上の温度が必要であるので、第１のレジスト層３および第２のレジスト層４に用いるガラスの融点は、抵抗層２と電極層５との拡散に必要な温度以上であることが必要となる。
【００３６】
次に、図２（ｂ）および図６（ｂ）に示すように、抵抗層２に抵抗値修正を行う。抵抗値修正は、レーザ光線を照射することで、第１のレジスト層３ごと抵抗層２の一部を、そのエネルギーにより消失させるものである。トリミング跡６は、このような抵抗値修正により、消失した部分を指す。このような抵抗値修正はトリミングとも呼ばれており、抵抗値を所定の抵抗値にするために行われるものである。この抵抗値修正は、２次分割部１ｂと平行な方向において隣接する電極層５にそれぞれ抵抗値測定用検針を接触させ、抵抗値を測定しながら行う。なお、抵抗値修正を行う際には、抵抗値の測定を正確に行うために、前処理が必要になる場合もある。例えば、シート基板１の端部で複数の抵抗層２を電気的に接続しておくと、所謂めっきランドを１箇所にすることができ、電解めっきの際には便利であるが、抵抗値修正のために抵抗値を測定する場合には、他の抵抗層２の影響を受けてしまい、正確な測定が出来なくなるので、このめっきランドを切断して各抵抗層２を電気的に独立させるような処理である。
【００３７】
次に、図２（ｃ）および図６（ｃ）に示すように、第１のレジスト層３を覆うように保護膜７を形成する。保護膜７は完全に第１のレジスト層３を覆い、さらに電極層５の一部も覆う。この保護膜７はガラスによる保護膜を用いている。
【００３８】
次に、図７（ａ）に示すように、１次分割部１ａおよび２次分割部１ｂが作る長方形の四隅に再上面電極層８を形成する。この再上面電極層８は隣接する２次分割部１ｂ間の中央部には存在しないので、図３（ａ）、（ｂ）には現れない。再上面電極層８は、Ａｇと樹脂の混合ペーストを印刷し、その後乾燥させて形成される。再上面電極層８は、後で説明する端面電極９を形成する際に、段差を少なくするという機能を有する。
【００３９】
次に、シート基板１は、１次分割部１ａの位置で切断され、複数の短冊基板２０に分割される。この分割の方法は、ダンシングで切断する方法が挙げられる。また、予めスリットを形成している場合には、外力を加えてスリット部で割ることで分割する方法もある。図７（ｂ）は、このように分割した後の短冊基板２０の一部を拡大した図である。
【００４０】
次に、図３（ａ）および図８に示すように、スパッタ工法により端面電極９および端面電極１０を形成する。端面電極９は短冊基板２０の端面と上面の端部に形成される。このスパッタ工法においては、まず、マスクを用いて、短冊基板２０の上面側からスパッタを行うことで必要な部分のみ端面電極９を形成するようにしている。端面電極９は、２次分割部１ｂ方向における隣接する保護膜７間に位置するシート基板１、第２のレジスト層４、電極層５、再上面電極層８を覆う。端面電極９の形成が終了したら、今度は端面電極１０をスパッタ工法で形成する。この端面電極１０は、マスクを用いて短冊基板２０の裏面側からスパッタを行うことで必要な部分のみ端面電極１０を形成するようにしている。端面電極９および端面電極１０は両方とも、ＮｉＣｒからなる。なお、端面電極９を形成した後に端面電極１０を形成するのではなく、順序を逆にしてもよい。また、マスクを用いて、短冊基板２０の上面と裏面の両方から同時にスパッタを行い、端面電極９および端面電極１０を一体的に形成することもできる。
【００４１】
次に、短冊基板２０を２次分割部１ｂで切断し、複数の基板２１に分割する。この分割方法は、シート基板１を短冊基板２０に分割する方法と同様である。
【００４２】
次に、図３（ｂ）に示すように、端面電極９および端面電極１０上にめっき層を形成する。このめっき層は、銅めっき層１１、ニッケルめっき層１２およびスズめっき層１３からなり、いずれも電解めっきにより形成される。この電解めっきの方法としては、バレルめっき工法が好ましい。
【００４３】
以上のような製造方法によるチップ抵抗器は、以下のような効果を有する。
【００４４】
まず、電極層５を形成した後で、抵抗値を修正する工程の前に、熱処理を行う工程を実施することで、抵抗値が安定するという効果を奏する。これは、電解めっきによる電極層５の形成後に熱処理を行うことで、抵抗層２と電極層５間に拡散が生じ、両者の密着性が向上することによるものである。
【００４５】
そして、密着性が向上すると、その後の工程により抵抗層２と電極層５間の密着性の低下を防止することが可能になり、これにより抵抗層２と電極層５との接続部の抵抗値を安定させることができる。従って、この安定した状態で抵抗値修正工程を行うことで、その後の抵抗値の変動を抑えることが可能になる、という作用によるものである。
【００４６】
さらに、第１のレジスト層３および第２のレジスト層４としてガラスを用いたので、熱処理工程により第１のレジスト層３および第２のレジスト層４のガラスの一部が抵抗層２と電極層５との間に入り込むことにより、より、抵抗層２と電極層５との密着性が向上すると考えられる。
【００４７】
また、１次分割部１ａを跨ぐのは抵抗層２と第２のレジスト層４であり、電極層５は１次分割部１ａを跨がない。電極層５は金属であるので、切断するとバリが出てしまうが、電極層５は１次分割部１ａを跨がないので１次分割部１ａで分割してもバリは生じないという効果も有する。
【００４８】
なお、本実施の形態においては、シート基板１の上面側のみに抵抗層２を形成したが、上面側と裏面側の両方に形成してもよい。即ち、抵抗層２を両面に形成してもよい。こうすることで、チップ抵抗器としての抵抗値を１／２にすることができる。このときの裏面側は、上面側と同様の構成になり、その製造方法も上面側と同様に行うことができる。
【産業上の利用可能性】
【００４９】
本発明にかかるチップ抵抗器の製造方法は、電気機器や電子機器等に用いられるチップ抵抗器として適用することができる。
【符号の説明】
【００５０】
１  シート基板
１ａ  １次分割部
１ｂ  ２次分割部
２  抵抗層
３  第１のレジスト層
４  第２のレジスト層
５  電極層
６  トリミング跡
７  保護膜
８  再上面電極層
９  端面電極
１０  端面電極
１１  銅めっき層
１２  ニッケルめっき層
１３  スズめっき層
２０  短冊基板
２１  基板
３０  チップ抵抗器
【図１】
2013098358.tif 000003
【図２】
2013098358.tif 000004
【図３】
2013098358.tif 000005
【図４】
2013098358.tif 000006
【図５】
2013098358.tif 000007
【図６】
2013098358.tif 000008
【図７】
2013098358.tif 000009
【図８】
2013098358.tif 000010